(57)【要約】【課題】常時空質の改善ができ、省エネルギーが実現できる空気調和機を提供する。【解決手段】本空気調和機は、筐体内に室内熱交換器と、室内送風機と、空気清浄装置と、換気装置を収容し、ほこり空気清浄装置と、ガス空気清浄装置を設け、ほこりセンサが検出する空気中粒子系の濃度に基づき、空気清浄装置の能力を変更し、ガスセンサが検出する空気中ガス系の濃度に基づき、換気装置の能力を変更する。【選択図】  図６
2009074788.tif 000002
【特許請求の範囲】
【請求項１】
室内空気の吸込口および熱交換された空気の吹出口を備えた筐体内に、室内熱交換器と、室内送風機と、空気清浄装置と、換気装置とを収容し、
前記筐体内あるいは筐体表面に、空気中の粒子系濃度を検出するほこりセンサと、空気中のガス系濃度を検出するガスセンサを設け、
前記ほこりセンサの検出濃度に基づき、前記空気清浄装置の能力を変更し、
前記ガスセンサの検出濃度に基づき、前記換気装置の能力を変更することを特徴とする空気調和機。
【請求項２】
前記空気清浄装置は、高圧電極で発生する高電圧により、空気中の粒子に帯電させて捕集し、前記空気清浄装置の能力の変更は、前記高電電極への印加電圧の変更あるいは通電時間の変更、または、前記室内送風機のファン回転数の変更、室内空気を前記筐体内に吸い込む吸込口の開口面積の変更にて行うことを特徴とする請求項１に記載の空気調和機。
【請求項３】
前記筐体の前面吸込口を開閉可能に設けた可動式パネル、この可動式パネルの下端近傍に形成する前記吹出口に設けた上下風向板とを備え、前記ほこりセンサの検出濃度および前記ガスセンサの検出濃度が、所定値以下のとき、前記可動式パネルの開度を全開時よりも小さくし、吹出空気が水平より上方向に吹き出されるように、上下風向板を設定することを特徴とする請求項２に記載の空気調和機。
【請求項４】
室内空気の吸込口および熱交換された空気の吹出口を備えた筐体内に、室内熱交換器と、室内送風機と、空気清浄装置とを収容し、
前記筐体表面の吸込口下部に、空気中の粒子系濃度を検出するほこりセンサと、空気中のガス系濃度を検出するガスセンサを、空気の清浄度を示す表示手段を中央に介して左右方向に並べて配置し、それぞれのセンサ前面に空気の流通する空気導入孔を備えたカバーで覆ったことを特徴とする空気調和機。
【発明の詳細な説明】
【技術分野】
【０００１】
本発明は空気調和機に係り、特に空気清浄装置の能力および空気清浄装置の能力を変更することができる空気調和機に関する。
【背景技術】
【０００２】
近年の清潔・健康志向の一つとして、花粉やハウスダスト、たばこやペットの臭いなどを取り除く空気清浄・脱臭へのニーズが高まっている。
【０００３】
従来の空気調和機の基本機能である冷暖房・ドライに加えて、空質（温度、湿度、粉塵、臭いなどさまざまな要素を考慮した空気の質）の改善が求められている。
【０００４】
従来、空気調和機を用いた空質の改善のために種々の提案がなされている。
【０００５】
例えば、室内の空気の汚れを除去する空気清浄機、室内の空気を外に排出して新鮮な空気を室内に導入する換気ファン、室内空気のガス濃度を検知する検知手段を設け、空気中の汚染度が所定値以上のとき、換気ファンを動作させて、換気を行う空気調和機が提案されている（特許文献１参照）。
【０００６】
しかし、特許文献１のものは、ガス濃度を検知して空気清浄手段による汚れの除去を目的としているが、ほこりの度合いに応じて空気清浄機を制御する機能を備えていない。
【０００７】
また、筐体の上部に空気吸込口、下部に空気吹出口を設け、さらに、空気吸込口の少なくとも一部を開閉するように可動パネルを設け、空気吹出口に上下風向板を設けるとともに、電気集塵空清ユニットを設ける。冷房運転時または暖房運転時に可動パネルを開くように制御し、空気清浄運転時に、可動パネルを閉じ、電気集塵空清ユニットを運転し、上下風向板が水平より上向き又は最大限の上向き角度となるように制御する制御装置を備える。さらに、ほこり空気清浄手段および人検地空気清浄手段を設け、空気中の粒子系の濃度が所定値以上であることを検知して、空気清浄装置の能力を変更し、室内に人が居ないことを検知し、床面に沈降した花粉などのダストを積極的に除去するものである。（特許文献２参照）。
【０００８】
しかし、特許文献２に記載の空気調和機は、室内に人が居つづけた場合にはほこり除去機能が使えず、また、人検知空気清浄手段はほこり検知空気清浄手段、ガス検知空気清浄手段に比べて高価であり、制御が複雑化するといった問題点がある。
【特許文献１】特開平３−１９４３４１号公報
【特許文献２】特開２００７−１３２６１０号公報
【発明の開示】
【発明が解決しようとする課題】
【０００９】
本発明は上述した事情を考慮してなされたもので、常時空質の改善ができ、省エネルギーが実現できる空気調和機を提供することを目的とする。
【課題を解決するための手段】
【００１０】
上述した目的を達成するため、本発明に係る空気調和機は、室内空気の吸込口および熱交換された空気の吹出口を備えた筐体内に、室内熱交換器と、室内送風機と、空気清浄装置と、換気装置とを収容し、前記筐体内あるいは筐体表面に、空気中の粒子系濃度を検出するほこりセンサと、空気中のガス系濃度を検出するガスセンサを設け、前記ほこりセンサの検出濃度に基づき、空気清浄装置の能力を変更し、前記ガスセンサの検出濃度に基づき、換気装置の能力を変更することを特徴とする。
【００１１】
また、本発明に係る空気調和機は、室内空気の吸込口および熱交換された空気の吹出口を備えた筐体内に、室内熱交換器と、室内送風機と、空気清浄装置とを収容し、前記筐体表面の吸込口下部に、空気中の粒子系濃度を検出するほこりセンサと、空気中のガス系濃度を検出するガスセンサを、空気の清浄度を示す表示手段を中央に介して左右方向に並べて配置し、それぞれのセンサ前面に空気の流通する空気導入孔を備えたカバーで覆ったことを特徴とする。
【発明の効果】
【００１２】
本発明に係る空気調和機によれば、常時空質の改善ができ、省エネルギーが実現できる空気調和機を提供することができる。
【発明を実施するための最良の形態】
【００１３】
本発明の一実施形態に係る空気調和機について図面を参照して説明する。
【００１４】
図１は本発明の一実施形態に係る空気調和機の概念図、図２は本空気調和機の室内機の前面パネルを外して示す概念図、図３は本空気調和機の室内機の側断面図である。
【００１５】
図１〜図３に示すように、本発明の一実施形態に係る空気調和機１は、室内機２と室外機４が接続配管５により接続されてなり、室内を空気調和する。
【００１６】
室内機２は筐体２１を備え、この筐体２１は後本体２１ａと、この後本体２１ａの前面側開口を覆うように取り付けられる前面パネル２１ｂと、この前面パネル２１ｂの吸込側前部開口部を開閉可能に可動的に設ける可動パネル２１ｃから構成される。
【００１７】
この筐体２１の前面パネル２１ｂ上面に上面空気吸込口２１１、前面パネル２１ｂの吸込側前部開口部に前面空気吸込口２１２および前面パネル２１ｂ前面下部に空気吹出口２１３が設けられる。
【００１８】
筐体２１内には上面空気吸込口２１１および前面空気吸込口２１２と空気吹出口２１３とを連通する通風路が形成し、室内熱交換器２２が逆Ｖ字状に配され、この室内熱交換器２２の下方に室内送風用モータ２３１を備えた室内送風機２３、室内熱交換器２２の前面に空気清浄装置としての電気集塵器２４と、エアフィルタ２５が配され、さらに、筐体２１内の室内熱交換器２２の一側近傍（図２中右側）には電気部品箱２６が、他側近傍（図２中左側）には室内空気と室外空気を交換する能力可変の換気装置２７が配される。
【００１９】
前面パネル２１ｂはその一側から他側に延びて、室内熱交換器２２の下方に室内熱交換器２２に沿う露受皿２８を形成し、さらに、同様に一側から他側に延び吸込口と吹出口を仕切る前面部２９を形成する。
【００２０】
この前面部２９には、図１５乃至図１７に示すように、空気中のガス系濃度を検出するガスセンサ３１、空気中の粒子系濃度を検出するほこりセンサ３２、空気の清浄状態を表示するための発光素子３５が設けられたエアクリーンモニター３３が配置されている。
【００２１】
このエアクリーンモニター３３は、図１７に示されるように、基板に装着され中央部に発光素子３５、この発光素子３５の一方の側部に室内空気が導入されて、空気中に含まれる空気中の粒子系濃度を検出するほこりセンサ３２、発光素子３５の他方の側部に室内空気が導入されて空気中に含まれるガス系濃度を検出するガスセンサ３１が配置され、この前面は、図１６に示されるように、ほこりセンサ３２、前記発光素子３５、前記ガスセンサ３１を覆うカバー３４が装着されている。
【００２２】
このカバー３４には、前記発光素子３５前面に対向する位置となる中央部に、発光素子３５の発光状態で、空気の清浄度を目視で表示する導光部材で形成された空気清浄状態表示部３４ｃが形成し、この空気清浄状態表示部３４ｃの一方の側部のほこりセンサ３２の前面に対向する位置に室内空気がほこりセンサ３２に導入されるように構成するほこりセンサ用空気導入口３４ａが、また、この空気清浄状態表示部３４ｃの他方の側部のガスセンサ３１の前面に対向する位置に室内空気がガスセンサ３１に導入されるように構成するガスセンサ用空気導入口３４ｂが形成されている。
【００２３】
なお、ほこりセンサ用空気導入口３４ａとガスセンサ用空気導入口３４ｂの孔の大きさは、それぞれのセンサに十分な空気が流通するよう設定されている。通常ほこりセンサ用空気導入口３４ａは、センサ内に空気を導入することで空気中に含まれる塵埃量を感知するため、通風しやすいように通気孔の面積をガスセンサ用空気導入口３４ｂの孔より大きく形成している。
【００２４】
また、室内機２には、上記のほかに、いずれも図示しない表示部、別体のリモコン６からの赤外線の操作信号を受ける受光部が配置されている。
【００２５】
また、筐体２１下部には、空気吹出口２１３の前方近傍にルーバ角度を上下方向に回動可能な上下風向板３０と、ルーバ角度を左右に回動可能に設けられた左右風向板（図示せず）が設けられる。
【００２６】
上下風向板３０は閉じた状態で空気吹出口２１３をほぼ塞ぐ、上下風向板３０は両端部に設けた回動軸を支点にして、リモコン６からの指示に応じて、駆動モータ（図示せず）により、空気調和機の運転時に所要の角度回動し空気吹出口２１３を開き、その状態を保持する。空気調和機の運転停止時には、空気吹出口２１３を閉じる。
【００２７】
また、左右風向板（図示せず）は下端部に設けた回動軸を支点にして、駆動モータ（図示せず）により回動可能に構成され、リモコン６からの指示に応じて回動してその状態を保持し、吹出し空気を左右の所望の方向に吹出させる。なお、空気調和機運転中、上下風向板３０、左右風向板を周期的に揺動させ、室内の広範囲に周期的に吹出し空気を送ることも可能である。
【００２８】
図４に示すように、さらに、可動パネル２１ｃは駆動モータ（図示せず）を回転させることにより、下端部に設けた回動軸を支点として回動可能に構成され、空気調和機の運転時に前側空気吸込部２１１ａを全開、半開にして、この前側空気吸込部２１１ａからも室内空気を室内機内に吸い込む、空気調和機の停止時には、前側空気吸込部２１１ａを閉じるように制御される。
【００２９】
電気部品箱２６には、空気調和機１全体および室内機２内の制御対象要素を制御する制御回路が内装され、この制御回路は制御回路用ＭＰＵを備え、制御回路はリモコン６からの指令信号を受信する。制御回路は室内温度センサ、室内湿度センサ、ガスセンサ３１、ほこりセンサ３２等の各種のセンサからの信号を受け、リモコン６からの操作信号を受光部で受けると共に、室内送風機２３、換気用モータ２７１、可動パネル駆動モータ、上下風向板駆動モータ、左右風向板駆動モータ等を制御する。
【００３０】
電気集塵器２４は低圧力損失、高集塵効率を両立させるもので、集塵部に電極を用いた２段式電気集塵方式であり、１段部はイオン化線と対向するアース板からなり、吸い込んだ汚れた空気の粒子をコロナ放電により帯電させる。２段部はアース板と高圧電極からなる対向電極でクーロン力により帯電粒子をアース電極に付着させるものである。
【００３１】
ガスセンサ３１は半導体ガスセンサを用い、ヒータで加熱される感ガス材料に電圧を印加し、ガスに触れる感ガス材料の抵抗の変化を、感ガス材料に直列に設けた負荷抵抗両端出力（電圧）の変化として取り出すものである。
【００３２】
ほこりセンサ３２はＬＥＤで照射される照明域を煙、ほこり等の粒子が通過すると、粒子径に応じた散乱光パルスが発生し、これを電圧出力として取り出すもので、タバコ煙、アレルギーに密接に関連する比較的おおきな粒子径のハウスダストにも敏感に反応する。
【００３３】
換気装置２７は、筐体２１内で室内熱交換器２２の他側近傍の空間に配され、換気用モータ２７１を備えた換気用送風機２７２と、いずれも図示しないダンパー駆動機構により適宜開閉制御されるダンパーを有する。換気用送風機２７２は換気ホース２７３が接続される。換気装置は換気機能と給気機能を同時に備えるものであってもよい。
【００３４】
次に本空気調和機の換気装置および空気清浄装置の運転およびその能力制御について説明する。
【００３５】
空質を改善するための換気装置および空気清浄装置の運転（以下、空質改善運転という。）は、空気調和機の冷房運転、暖房運転と同時および単独で行われる。
【００３６】
制御装置のＲＯＭには、ほこりセンサからのほこり濃度情報信号、ガスセンサからのガス濃度情報信号に基づいて、換気装置および空気清浄装置の能力を制御するためのプログラムが予め記憶されている。
【００３７】
図５に示すように、エアクリーンモニター３３には、現在の室内空気の空質状況を色彩によって表示する。例えば、汚れた空気の汚れレベル１は青色、レベル２、３は、黄色、レベル４、５は橙色で表示する。
【００３８】
図６に示すように、空質改善運転中は、下部空気吸込口２１２から筐体２１内に室内空気が吸い込まれるため、室内空気はガスセンサ３１、ほこりセンサ３２内を通り、ガスセンサ３１により空気中のＣＯやアルコールなどのガス系濃度が検出され、ほこりセンサ３２により空気中の塵埃などの粒子系濃度が検出される。
【００３９】
ガスセンサ３１の検出値によって、換気ファンの回転数を決定し、ほこりセンサ３２の検出値によって、室内送風機の回転数、空気清浄装置の通電率を決定する。
【００４０】
後述の方法で決定される汚れレベル（レベル１〜レベル５）によって、図６（ａ）に示すように、粒子系濃度（汚れ）が大きいほど室内送風機の風量（モータ回転数）が大きくなるように変化させて、空気清浄能力をアップさせ、レベル５の風量を１００％とした場合、レベル１の風量を３０％とする。
【００４１】
また、粒子系濃度（塵埃など室内空気の汚れ）が大きいほど空気清浄装置の通電率が大きくなるように変化させて、空気清浄能力をアップさせ、レベル５の風量を１００％とした場合、レベル２の風量を１５％とする。
【００４２】
さらに、ガス系濃度（ＣＯやアルコールなど室内空気の汚れ）が大きいほど換気装置２７の換気風量が大きくなるように変化させ、換気能力をアップさせ、レベル５の風量を１００％とした場合、レベル２の風量を６５％とする。
【００４３】
次にほこりセンサ制御を詳細に説明する。  
（１）初期化制御（一定時間この状態を保つ）
１）通電開始条件：空気清浄装置あるいは換気装置の運転開始
２）ゾーン（汚れレベル）定義：ゾーン３に固定。図７にゾーンの定義を示す。  
３）初期化時間：なし（即読み込み値を使用する）
４）基準値計算：下記のａ、ｂ、ｃのいずれかで決定
ａ．前回基準値がない場合（例えば、電源投入時）
Ｖｐ１＝Ｖｐｓ−Ｖｐ２−Ｖｐ３
ここで、Ｖｐｓはほこりセンサの検出電圧値
ｂ．前回基準値がある場合
前回基準値（Ｖｐ１）を利用
ｃ．ほこりセンサ異常の場合
Ｖｐ１＝０
【００４４】
（２）ほこりセンサゾーン計算
図８に示すシーケンスによって決定する。
【００４５】
ほこりセンサ初期化完了（Ｓ１）。  
この時点ではゾーン３である。
【００４６】
ほこりセンサの通電禁止条件の有無を判断する（Ｓ２）。  
通電禁止条件がないなら（Ｎｏ）、ｔｎ間にＶｐｓ値を検出して記憶する（Ｓ３）。  
検出されたＶｐｓ値がゾーン３以下かを判断する（Ｓ４）。  
Ｖｐｓ値がゾーン３以下なら（Ｙｅｓ）、Ｖｐｓ値≧Ｖｐｎ＋２を１回以上検出したか判断する（Ｓ５）。  
１回以上検出したなら（Ｙｅｓ）、Ｖｐｓ値の最大値のゾーンに移行する（Ｓ６）。
【００４７】
以下、Ｓ２に戻り、同様のステップを繰り返す。
【００４８】
Ｓ２において、ほこりセンサの通電禁止条件の有りなら（Ｓ２のＹｅｓ）、例えば、室内送風機あるいは空気清浄装置の故障であり、ゾーン制御を終了する（Ｓ７）。
【００４９】
Ｓ４において、Ｖｐｓ値がゾーン３以下でないなら（Ｓ４のＮｏ）、Ｖｐｓ≧Ｖｐ５を１回以上検出したか判断する（Ｓ８）。  
１回以上検出なら（Ｓ８のＹｅｓ）、Ｓ６のＶｐｓ値の最大値のゾーンに移行する。
【００５０】
Ｓ５において、１回以上検出しないなら（Ｓ５のＮｏ）、Ｖｐｓ値≧Ｖｐｎ＋１を３回以上検出したか判断する（Ｓ９）。  
３回以上検出したなら（Ｓ９のＹｅｓ）、Ｓ６のＶｐｓ値の最大値のゾーンに移行する。
【００５１】
Ｓ８において、１回以上検出していないなら（Ｓ８のＮｏ）、ゾーン番号ｎを１つ減らし（但し、ゾーン１が最低値）、以下、Ｓ２に戻り、同様のステップを繰り返す（Ｓ１０）。
【００５２】
Ｓ９において、３回以上検出しないなら（Ｓ９のＮｏ）、Ｖｐｎ＋１≧Ｖｐｓ≧Ｖｐｎを１回以上検出したか判断する（Ｓ１１）。  
１回以上検出したなら（Ｓ１１のＹｅｓ）、ゾーン変更なく、以下、Ｓ２に戻り、同様のステップを繰り返す。  
１回以上検出していないなら（Ｓ１１のＮｏ）、Ｓ１０に移行し、ゾーン番号ｎを１つ減らして（但し、ゾーン１が最低値）、Ｓ２に戻り、同様のステップを繰り返す。
【００５３】
なお、図９のようなゾーン毎に、ほこりセンサによる更新時間を定める。
【００５４】
（３）基準値の更新
図１０に示すシーケンスによって決定する。  
ほこりセンサ運転開始（Ｓ２１）。
【００５５】
基準値は前回運転のＶｐ１あるいは前回値がない場合、Ｖｐｓ−Ｖｐ２−Ｖｐ３
ほこりセンサの通電禁止条件の有無を判断する（Ｓ２２）。  
通電禁止条件がないなら（Ｎｏ）、前回基準値計算後２分経過しているか判断する（Ｓ２３）。  
２分経過しているなら（Ｙｅｓ）、Ｖｐｓ≦Ｖｐ１か判断する（Ｓ２４）。  
Ｖｐｓ≦Ｖｐ１なら（Ｙｅｓ）、基準値Ｖｐ１’＝Ｖｐｓとし（Ｓ２５）、Ｓ２２に戻り、以下繰り返す。
【００５６】
Ｓ２２において、ほこりセンサの通電禁止条件の有りなら（Ｓ２２のＹｅｓ）、Ｖｐ１は前回値なしとし、基準値計算制御を終了する（Ｓ２６）。
【００５７】
Ｓ２３において、２分経過していないなら（Ｓ２３のＮｏ）、Ｓ２２に戻り、以下繰り返す。  
２分経過しているなら（Ｙｅｓ）、Ｖｐｓ≦Ｖｐ１か判断する（Ｓ２４）。
【００５８】
Ｓ２４において、Ｖｐｓ≦Ｖｐ１でないなら（Ｓ２４のＮｏ）、Ｖｐｓ≦Ｖｐ１なら（Ｙｅｓ）、基準値Ｖｐ１’＝Ｖｐ１＋（Ｖｐｓ−Ｖｓ１）÷２０とし（Ｓ２７）、Ｓ２２に戻り、以下繰り返す。
【００５９】
また、ガスセンサ制御を説明する。  
（１）初期化制御（一定時間この状態を保つ）
１）通電開始条件：空気清浄装置あるいは換気装置の運転開始
２）ゾーン（汚れレベル）定義：ゾーン３に固定。  
３）初期化時間：２分間（読み込み値を無視する）
４）基準値計算：下記のａ、ｂ、ｃのいずれかで決定
ａ．前回基準値がない場合（例えば、電源投入時）
Ｖ０＝Ｖｓ−Ｚ１−Ｚ２−Ｚ３／２
ｂ．前回基準値がある場合
図１１に示す定義による。  
ｃ．ガスセンサ異常の場合
Ｖ０＝０とする。
【００６０】
（２）ガスセンサゾーン計算
１０秒毎にガスセンサ値を読み込み、図１２で示すように定義する。
【００６１】
（３）基準値の更新
基準値は２分毎に、次式で補正する。  
Ｖｏｎ＋１＝Ｚ×Ｑ×｛（ガスセンサ出力値）−Ｖｏｎ｝／８＋Ｖｏｎ＋Ｒ
ここでＺ：ゾーン係数、Ｑ：風量係数、Ｒ：前回計算時の余り
【００６２】
また、本空気調和機の空質改善運転時、ほこりセンサの検出値すなわち上記のような汚れレベル（ゾーン値）により、室内送風機の回転数が制御され、図６（ａ）に示すような汚れレベルと風量割合の関係で室内送風機が運転される。このように、汚れレベルに応じて室内送風機の運転を制御するので省エネルギーになる。また、図６（ａ）に示すような汚れレベルと通電率との関係で空気清浄装置が運転される。このように、汚れレベルに応じて空気清浄装置の運転を制御するので省エネルギーになる。さらに、図６（ｂ）に示すような汚れレベルと風量割合の関係で換気装置が運転される。このように、汚れレベルに応じて換気装置の運転を制御するので省エネルギーになる。
【００６３】
また、図５に示すように、ほこりセンサ３２が検出する空気中粒子系の濃度が所定値以下（例えば、レベル１）のとき、可動パネル２１ｃはこの可動パネル２１ｃの開度を全開時よりも小さくし、図１３に示すように、上下風向板３０を上向き位置にして、吹出空気が水平より上方に吹き出す。なお、図１４は室内空気が汚れている場合の気流を示し、吹出空気が水平よりないし下方に吹き出す。
【００６４】
可動パネル２１ｃの開度と風向を変化させることで、室内全体を循環する気流が生じる。これにより、室内に人が居ても、空気の汚れのモニタリングと空気の清浄化が可能になるばかりか、人に直接風を送らないので、騒音を感じさせず、ドラフト感もない。
【００６５】
室内空気が清浄な状態となっても、上下風向板をやや上に向けた状態から、再び室内空気の汚れ度が上昇し、通常の位置へ戻すべき状態となっても、所定時間の間は復帰をさせないように制御するのが好ましい。これにより、風向板動作のチャタリングを防止できる。
【００６６】
また、本空気調和機の空質改善運転時、ほこりセンサの検出値あるいはガスセンサのどちらかが、空気の清浄な状態を検知した場合でも、空気清浄装置あるいは換気装置を停止させることなく、所定の能力をキープさせ、完全に独立制御としないことで、誤検知やユーザーへの違和感発生の防止を図ることができる。
【００６７】
図５に示すように、室内空気が汚れている状態では可動パネル２１ｃを開き、清浄かされた状態で、開状態からやや開度を閉じた状態、あるいは完全に閉とした状態とすることで、騒音の低減、あるいはユーザーへ空気が清浄となっていることを知らせることができる。
【００６８】
さらに、室内空気の汚れ状態をエアクリーンモニターに表示する。この場合、両センサのいずれか汚れレベルの高い方を優先して表示するので、ユーザーへ空気の汚れ状態を適確に知らせることができる。
【００６９】
本実施形態の空気調和機によれば、常時空質の改善ができ、省エネルギーが実現できる空気調和機が実現する。
【図面の簡単な説明】
【００７０】
【図１】本発明の一実施形態の空気調和機の概念図。
【図２】本発明の一実施形態の空気調和機の室内機の前面パネルを外して示す概念図。
【図３】本発明の一実施形態の空気調和機の室内機の側断面図。
【図４】本発明の一実施形態の空気調和機の室内機の換気装置近傍を示す側断面図。
【図５】本発明の一実施形態の空気調和機の汚れレベルと可動パネルの開度、上下風向板の方向との関係図。
【図６】本発明の一実施形態の空気調和機に用いるセンサと、（ａ）室内送風機、空気清浄装置、（ｂ）換気装置の制御例を示す図。
【図７】本発明の一実施形態の空気調和機に用いるほこりセンサ制御のゾーンの定義を示す図。
【図８】本発明の一実施形態の空気調和機に用いるほこりセンサ制御のゾーン計算のシーケンス図。
【図９】本発明の一実施形態の空気調和機に用いるほこりセンサのゾーン毎の更新時間の相関図。
【図１０】本発明の一実施形態の空気調和機に用いるほこりセンサ制御のゾーンの基準値更新のシーケンス図。
【図１１】本発明の一実施形態の空気調和機に用いるガスセンサ制御のゾーンの基準値計算の定義図。
【図１２】本発明の一実施形態の空気調和機に用いるガスセンサ制御のゾーン計算の定義図。
【図１３】本発明の一実施形態の空気調和機の空気がきれいな状態の室内気流図。
【図１４】本発明の一実施形態の空気調和機の空気が汚れた状態の室内気流図。
【図１５】本発明の一実施形態の空気調和機の室内機の可動パネルを外した状態を示す正面図。
【図１６】図１５におけるエアクリーンモニター部分を拡大して示す正面図。
【図１７】図１６におけるエアクリーンモニター部分のカバーを外した状態を示す正面図。
【符号の説明】
【００７１】
１…空気調和機、２…室内機、４…室外機、５…接続配管、６…リモコン、２１…筐体、２１ｂ…前面パネル、２１ｃ…可動パネル、２１１…空気吸込口、２１１ａ…前側空気吸込部、２１２…下部空気吸込口、２１３…空気吹出口、２２…室内熱交換器、２３…室内送風機、２３１…室内送風用モータ、２４…電気集塵器、２６…電気部品箱、２７…換気装置、２７１…換気用モータ、２７２…換気用送風機、２７３…換気ホース、２８…露受皿、２９…前面部、３０…上下風向板、３１…ガスセンサ、３２…ほこりセンサ、３３…エアクリーンモニター、３３ａ…エアクリーンモニター用発光素子、３４…エアクリーンモニター部カバー、３４ａ…ほこりセンサ用空気導入口、３４ｂ…ガスセンサ用空気導入口。
【図１】
2009074788.tif 000003
【図２】
2009074788.tif 000004
【図３】
2009074788.tif 000005
【図４】
2009074788.tif 000006
【図５】
2009074788.tif 000007
【図６】
2009074788.tif 000008
【図７】
2009074788.tif 000009
【図８】
2009074788.tif 000010
【図９】
2009074788.tif 000011
【図１０】
2009074788.tif 000012
【図１１】
2009074788.tif 000013
【図１２】
2009074788.tif 000014
【図１３】
2009074788.tif 000015
【図１４】
2009074788.tif 000016
【図１５】
2009074788.tif 000017
【図１６】
2009074788.tif 000018
【図１７】
2009074788.tif 000019